(57)【要約】【目的】比較的簡単に続きの動画を閲覧できるようにする。【構成】携帯電話30から動画ファイル・サーバ１に動画リクエストがあると，リクエストされた動画ファイルを携帯電話30が受信できるサイズに分割する（ステップ62）。分割されたファイルの再生順序を示す再構成情報にもとづいて最初の分割ファイルが携帯電話30に送信される。携帯電話30において最初の分割ファイルの再生が終了すると（ステップ55でＹＥＳ），続き動画のリクエストがサーバ１に送信される（ステップ58）。再構成情報にもとづいて次に送信すべき分割ファイルが見つけ出され（ステップ65），携帯電話30に送信される（ステップ66）。携帯電話30からはサーバ１にリクエストを送るだけで，再構成情報にしたがって分割ファイルが順序よく携帯電話30に送信される。【選択図】図６
2008228120.tif 000002
【特許請求の範囲】
【請求項１】
複数の動画ファイルの再生順序を示すデータが記憶されている再生順序データ記憶手段，
端末装置から送信される送信要求であって，上記複数の動画ファイルによって表わされる動画の送信要求を受信する送信要求受信手段，および
上記送信要求受信手段によって動画の送信要求を受信したことに応じて，上記再生順序データ記憶手段に記憶されている再生順序を示すデータによって規定される再生順序にもとづいて，上記端末装置において再生される動画ファイルを上記端末装置に送信する動画ファイル送信手段，
を備えた動画ファイル・サーバ。
【請求項２】
上記送信要求受信手段によって動画の送信要求を受信したことに応じて，上記動画ファイル送信手段から送信される動画ファイルの次に上記端末装置に送信される動画ファイルのリンク先を上記動画ファイル送信手段から送信される動画ファイルに格納するリンク先格納手段をさらに備え，
上記動画ファイル送信手段は，上記リンク先格納手段によってリンク先が格納された動画ファイルを上記端末装置に送信するものである，
請求項１に記載の動画ファイル・サーバ。
【請求項３】
上記複数の動画ファイルのうち最初に上記端末装置に送信される動画ファイルが続きの動画ファイルのリンク先を示すリンク・データが格納されている広告の動画ファイルであり，
上記動画ファイル送信手段は，上記広告の動画ファイルに格納されているリンク・データによって示されるリンク先に格納されている動画ファイルの送信要求を上記送信要求受信手段が受信したことに応じて，上記広告の動画ファイルの続きの動画ファイルを上記端末装置に送信するものである，
請求項１に記載の動画ファイル・サーバ。
【請求項４】
動画ファイル・サーバから送信され，続きの動画ファイルが存在する直前の動画ファイルには動画ファイル・サーバにおける上記続きの動画ファイルの格納場所を示すリンク・データが格納されている複数の動画ファイルを受信する動画ファイル受信手段，
上記動画ファイル受信手段によって受信された複数の動画ファイルを記憶する動画ファイル記憶手段，
上記動画ファイル記憶手段に上記続きの動画ファイルが記憶されたかどうかを判定する判定手段，
上記判定手段によって上記続きの動画ファイルが記憶されたことに応じて，上記直前の動画ファイルに格納されているリンク・データを，上記動画ファイル記憶手段に記憶されている格納場所のうち上記続きの動画ファイルが記憶されている格納場所を示すリンク・データに書き換えるリンク・データ書換手段，
を備えた端末装置。
【請求項５】
再生順序データ記憶手段が，複数の動画ファイルの再生順序を示すデータが記憶し，
送信要求受信手段が，端末装置から送信される送信要求であって，上記複数の動画ファイルによって表わされる動画の送信要求を受信し，
動画ファイル送信手段が，上記送信要求受信手段によって動画の送信要求を受信したことに応じて，上記再生順序データ記憶手段に記憶されている再生順序を示すデータによって規定される再生順序にもとづいて，上記端末装置において再生される動画ファイルを上記端末装置に送信する，
動画ファイル・サーバの動作制御方法。
【請求項６】
動画ファイル受信手段が，動画ファイル・サーバから送信され，続きの動画ファイルが存在する直前の動画ファイルには動画ファイル・サーバにおける上記続きの動画ファイルの格納場所を示すリンク・データが格納されている複数の動画ファイルを受信し，
動画ファイル記憶手段が，上記動画ファイル受信手段によって受信された複数の動画ファイルを記憶し，
判定手段が，上記動画ファイル記憶手段に上記続きの動画ファイルが記憶されたかどうか判定し，
リンク・データ書換手段が，上記判定手段によって上記続きの動画ファイルが記憶されたことに応じて，上記直前の動画ファイルに格納されているリンク・データを，上記動画ファイル記憶手段に記憶されている格納場所のうち上記続きの動画ファイルが記憶されている格納場所を示すリンク・データに書き換える，
端末装置の動作制御方法。
【請求項７】
複数の動画ファイルの再生順序を示すデータが記憶されている再生順序データ記憶手段を備えた動画ファイル・サーバを制御するプログラムであって，
端末装置から送信される送信要求であって，上記複数の動画ファイルによって表わされる動画の送信要求を受信する手順，および
動画の送信要求を受信したことに応じて，上記再生順序データ記憶手段に記憶されている再生順序を示すデータによって規定される再生順序にもとづいて，上記端末装置において再生される動画ファイルを上記端末装置に送信する手順を動画ファイル・サーバに実行させるプログラム。
【請求項８】
動画ファイル・サーバから送信され，続きの動画ファイルが存在する直前の動画ファイルには動画ファイル・サーバにおける上記続きの動画ファイルの格納場所を示すリンク・データが格納されている複数の動画ファイルを受信する手順，
受信した複数の動画ファイルを動画ファイル記憶手段に記憶する手順，
上記続きの動画ファイルが記憶されたかどうかを判定する手順，
上記続きの動画ファイルが記憶されたことに応じて，上記直前の動画ファイルに格納されているリンク・データを，上記動画ファイル記憶手段に記憶されている格納場所のうち上記続きの動画ファイルが記憶されている格納場所を示すリンク・データに書き換える手順を端末装置に実行させるプログラム。
【請求項９】
請求項７または８に記載のプログラムを格納した記録媒体。
【発明の詳細な説明】
【技術分野】
【０００１】
この発明は，動画ファイル・サーバおよび端末装置ならびにそれらの動作制御方法およびそれらの制御プログラムに関する。
【背景技術】
【０００２】
携帯電話などでは，受信できるファイル・サイズが比較的小さい。このために長時間の動画などでは携帯電話が受信できるサイズにファイルを分割して携帯電話に送信する必要がある。ファイル・サイズが分割された場合のように，複数の動画ファイルが携帯電話に送信される場合には，複数の動画ファイルの中からどの動画ファイルを送信するかが携帯電話によって指定される必要がある。ＤＶＤ（Digital Versatile Disk）などのディスクに格納されているコンテンツでは，再生順序などが規定されているが（特許文献１，２），複数の動画ファイルが動画サーバなどから携帯電話に送信される場合には携帯電話において指定され，その指定に応じて動画ファイルが動画サーバから携帯電話に送信されなければならず，携帯電話のユーザは面倒である。
【特許文献１】WO/97-37491
【特許文献２】特開2004-172868号公報
【発明の開示】
【０００３】
この発明は，再生順序にしたがって端末装置に複数の動画ファイルを送信することを目的とする。また，この発明は，連続した動画を表わす複数の動画ファイルが端末装置に記憶された場合には動画サーバにアクセスすることなく複数の動画ファイルを端末装置において再生することを目的とする。
【０００４】
第１の発明による動画ファイル・サーバは，複数の動画ファイルの再生順序を示すデータが記憶されている再生順序データ記憶手段，端末装置から送信される送信要求であって，上記複数の動画ファイルによって表わされる動画の送信要求を受信する送信要求受信手段，および上記送信要求受信手段によって動画の送信要求を受信したことに応じて，上記再生順序データ記憶手段に記憶されている再生順序を示すデータによって規定される再生順序にもとづいて，上記端末装置において再生される動画ファイルを上記端末装置に送信する動画ファイル送信手段を備えていることを特徴とする。
【０００５】
第１の発明は，上記動画ファイル・サーバに適した動作制御方法も提供している。すなわち，この方法は，再生順序データ記憶手段が，複数の動画ファイルの再生順序を示すデータが記憶し，送信要求受信手段が，端末装置から送信される送信要求であって，上記複数の動画ファイルによって表わされる動画の送信要求を受信し，動画ファイル送信手段が，上記送信要求受信手段によって動画の送信要求を受信したことに応じて，上記再生順序データ記憶手段に記憶されている再生順序を示すデータによって規定される再生順序にもとづいて，上記端末装置において再生される動画ファイルを上記端末装置に送信するものである。
【０００６】
第１の発明は，上記動画ファイル・サーバの動作制御方法を実現するためのプログラムおよびそのプログラムが格納された記録媒体も提供している。
【０００７】
第１の発明によると，複数の動画ファイルの再生順序を示すデータが再生順序データ記憶手段に記憶されている。端末装置のユーザが動画を閲覧する場合には，動画ファイル・サーバに動画の送信要求が送信される。動画ファイル・サーバにおいて動画の送信要求が受信されると，記憶されている再生順序を示すデータにもとづいて規定される再生順序にしたがって，動画ファイル・サーバから端末装置に一つ目の動画ファイルが送信される。動画ファイル・サーバから送信された動画ファイルが端末装置において受信されると，その動画ファイルによって表わされる動画が表示される。受信した動画ファイルの再生が終了すると，次の動画ファイルの送信要求が端末装置から動画ファイル・サーバに送信される。再生順序データによって規定される再生順序にしたがって，次の動画ファイルが動画ファイル・サーバから端末装置に送信される。端末装置においては，次に送信すべき動画ファイルを指定せずに送信要求するだけで複数の動画ファイルによって表わされる動画を閲覧できるようになる。複数の動画は，一つの動画を分割したものであってもよいし，別々の複数の動画でもよい。
【０００８】
上記送信要求受信手段によって動画の送信要求を受信したことに応じて，上記動画ファイル送信手段から送信される動画ファイルの次に上記端末装置に送信される動画ファイルのリンク先を上記動画ファイル送信手段から送信される動画ファイルに格納するリンク先格納手段をさらに備えてもよい。この場合，上記動画ファイル送信手段は，上記リンク先格納手段によってリンク先が格納された動画ファイルを上記端末装置に送信するものとなろう。
【０００９】
上記複数の動画ファイルのうち最初に上記端末装置に送信される動画ファイルは，たとえば，続きの動画ファイルのリンク先を示すリンク・データが格納されている広告の動画ファイルである。この場合，上記動画ファイル送信手段は，上記広告の動画ファイルに格納されているリンク・データによって示されるリンク先に格納されている動画ファイルの送信要求を上記送信要求受信手段が受信したことに応じて，上記広告の動画ファイルの続きの動画ファイルを上記端末装置に送信するものとなろう。
【００１０】
第２の発明による端末装置は，動画ファイル・サーバから送信され，続きの動画ファイルが存在する直前の動画ファイルには動画ファイル・サーバにおける上記続きの動画ファイルの格納場所を示すリンク・データが格納されている複数の動画ファイルを受信する動画ファイル受信手段，上記動画ファイル受信手段によって受信された複数の動画ファイルを記憶する動画ファイル記憶手段，上記動画ファイル記憶手段に上記続きの動画ファイルが記憶されたかどうかを判定する判定手段，上記判定手段によって上記続きの動画ファイルが記憶されたことに応じて，上記直前の動画ファイルに格納されているリンク・データを，上記動画ファイル記憶手段に記憶されている格納場所のうち上記続きの動画ファイルが記憶されている格納場所を示すリンク・データに書き換えるリンク・データ書換手段を備えていることを特徴とする。
【００１１】
第２の発明は，上記端末装置に適した動作制御方法も提供している。すなわち，この方法は，動画ファイル受信手段が，動画ファイル・サーバから送信され，続きの動画ファイルが存在する直前の動画ファイルには動画ファイル・サーバにおける上記続きの動画ファイルの格納場所を示すリンク・データが格納されている複数の動画ファイルを受信し，動画ファイル記憶手段が，上記動画ファイル受信手段によって受信された複数の動画ファイルを記憶し，判定手段が，上記動画ファイル記憶手段に上記続きの動画ファイルが記憶されたかどうか判定し，リンク・データ書換手段が，上記判定手段によって上記続きの動画ファイルが記憶されたことに応じて，上記直前の動画ファイルに格納されているリンク・データを，上記動画ファイル記憶手段に記憶されている格納場所のうち上記続きの動画ファイルが記憶されている格納場所を示すリンク・データに書き換えるものである。
【００１２】
第２の発明は，上記端末装置の動作制御方法を実施するためのプログラムおよびそのプログラムが格納された記録媒体も提供している。
【００１３】
第２の発明によると，動画ファイル・サーバから送信された複数の動画ファイルが端末装置において受信され，記憶される。動画ファイル・サーバから送信された複数の動画ファイルのうち，続きの動画ファイルが存在する，続きの動画ファイルの直前の動画ファイルには，その続きの動画ファイルの動画ファイル・サーバにおける格納場所を示すリンク・データが格納されている。その続きの動画ファイルが端末装置に記憶されると，続きの動画ファイルの直前の動画ファイルに格納されているリンク・データが，端末装置に記憶されている続きの動画ファイルの格納場所を示すリンク・データに書き換えられる。続きの動画ファイルが端末装置に記憶されている場合には，その続きの動画ファイルの格納場所を示すリンク・データが動画ファイル・サーバにおける格納場所を示すものから端末装置における格納場所を示すものに書き換えられるから，続きの動画ファイルを再生する場合に端末装置から動画ファイル・サーバに接続する必要が無い。接続処理を省略でき，比較的簡単に動画を再生できるようになる。
【実施例】
【００１４】
図１は，この発明の実施例を示すもので，動画通信システムの概要を示している。
【００１５】
この実施例による動画通信システムには，動画ファイル・サーバ１と携帯電話（端末装置，携帯電話に限らずコンピュータでもよい）30とが含まれている。これらの動画ファイル・サーバ１と携帯電話30とは，インターネットのようなネットワークを介して互いに通信可能である。
【００１６】
図２は，動画ファイル・サーバ１の電気的構成を示すブロック図である。
【００１７】
動画ファイル・サーバ１の全体の動作は，ＣＰＵ６によって統括される。動画ファイル・サーバ１には，ＣＤ−ＲＯＭ（コンパクト・ディスク−リード・オンリ・メモリ）ドライブ３が含まれている。このＣＤ−ＲＯＭドライブ３に後述する動作を制御するプログラムが格納されているＣＤ−ＲＯＭ２が装填され，その動作プログラムがＣＤ−ＲＯＭドライブ３によって読み取られることにより，動作プログラムが動画ファイル・サーバ１に装填される。
【００１８】
動画ファイル・サーバ１は，携帯電話30に動画ファイルを送信する場合に，その携帯電話30が受信できるようなファイル・サイズ（データ量）に分割し，分割された動画ファイルを携帯電話30に送信するものである。画像ファイル・サーバ１には，携帯電話の機種ごとに動画ファイルを分割するための分割ルールを示すデータが格納されている分割ルール・データベース８，動画ファイルが格納されている動画ファイル・データベース９および分割された動画ファイルの再生順序等を示す再構成情報が格納されている再構成情報データベース10が動画ファイル・サーバ１に含まれている。
【００１９】
動画ファイル・サーバ１には，キーボード，マウスなどの入力装置４，表示装置５および携帯電話30と通信するための通信装置７が含まれている。
【００２０】
図３は，動画ファイルおよび動画ファイルが分割されたファイル（分割ファイル）のファイル構造（データ構造）を示している。
【００２１】
動画ファイル（ファイル名001.mpg ）11には，ヘッダ記録領域12と動画データ記録領域13とが含まれている。ヘッダ記録領域12には動画ファイル11の管理データが格納されている。動画データ記録領域13に動画データが記録されている。
【００２２】
動画ファイル11の送信要求をした携帯電話30の受信できるファイル・サイズの制限から動画ファイル11が３つのファイル（ファイル名D1001.mpg）14，ファイル（ファイル名D2001.mpg）18およびファイル（ファイル名D3001.mpg）22に分割されたものとする。分割ファイル14，18および22のいずれにもヘッダ記録領域15，19および23ならびに動画データ記録領域16，20および24が含まれている。
【００２３】
第１の分割ファイル14に格納されている動画（動画データ）の次に再生される動画は，第２の分割ファイル18に格納されている動画によって表わされるものであり，第２の分割ファイル18に格納されている動画によって表わされる動画の次に再生される動画は，第３の分割ファイル22に格納されている動画によって表わされるものである。第１の分割ファイル14に格納されている動画データが再生された後に第２の分割ファイル18に格納されている動画データが再生され，第２の分割ファイルに格納されている動画データが再生された後に第３の分割ファイル22に格納されている動画データが再生される。
【００２４】
第１の分割ファイル14の動画データ記録領域16の最後の記録領域部分にはリンクづけ画像データ記録領域17が規定されており，このリンクづけ画像データ記録領域17に，第２の分割ファイル18の動画ファイル・データベース９における格納場所（AAA2）を示すリンク・データが埋め込まれているリンクづけ画像を表示するための画像データが記録されている。この画像データに埋め込まれているリンク・データから，第２の分割ファイル18の格納場所が分かる。同様に，第２の分割ファイル18の動画データ記録領域20の最後にもリンクづけ画像データ記録領域21が規定されており，このリンクづけ画像データ記録領域21に第３の分割ファイル22の格納場所（AAA3）を示すリンク・データが埋め込まれているリンクづけ画像を表示するための画像データが記録されている。この画像データに埋め決まれているリンク・データから，第３の分割ファイル22の格納場所が分かる。
【００２５】
これらの動画ファイル11および分割ファイル14，18および22が，上述のように，動画ファイル・データベース９に格納されるのはいうまでもない。
【００２６】
図４は，再構成情報データベース10に格納されている再構成情報の一例である。
【００２７】
上述のように，ファイル名001.mpgの動画ファイル11からファイル名D1001.mpg，D2001.mpgおよびD3001.mpgの分割ファイル14，18および22が生成されたものとする。再構成情報には動画ファイル11のファイル名および分割ファイルのファイル名のほかにそれぞれのファイルの動画ファイル・データベース９における格納場所および分割ファイルの再生順序を示すデータが含まれる。このような再生構成情報が動画ファイル・データベース９に格納されているファイルについて生成され，かつ再構成情報データベース10に格納される。
【００２８】
図５は，携帯電話30の電気的構成を示すブロック図である。
【００２９】
携帯電話30の全体の動作は，ＣＰＵ37によって統括される。携帯電話30にはメモリ・カード・リーダ・ライタ39が設けられている。このメモリ・カード・リーダ・ライタ39に，後述する携帯電話30の動作を制御するプログラムが格納されているメモリ・カード40が装填されることにより，メモリ・カード40に格納されている動作プログラムが読み出されて，携帯電話30にインストールされる。もっとも，携帯電話30を用いてサーバのアクセスすることにより，動作プログラムをダウンロードして携帯電話30にインストールするようにしてもよい。
【００３０】
携帯電話30には，テン・キーパッドなどの入力装置31および表示装置32が含まれている。また，動画ファイル・サーバ１等と接続するための通信装置33，通話のための通話装置34も含まれている。この通話装置34には音声出力のためのスピーカ35および音声入力のためのマイクロフォン36が接続されている。
【００３１】
さらに，携帯電話37には動画ファイル・サーバ１から送信された分割ファイルその他のデータ等を記憶するためのメモリ38も含まれている。
【００３２】
図６は，携帯電話30と動画ファイル・サーバ１との通信処理手順を示すフローチャートである。
【００３３】
携帯電話30を用いて動画ファイル・サーバ１に接続され，携帯電話30に記憶されている携帯電話情報（携帯電話の機種など）および要求する動画を特定するための動画リクエストが携帯電話30から動画ファイル・サーバ１に送信される（ステップ51）。
【００３４】
携帯電話30から送信された携帯電話情報および動画リクエストが動画ファイル・サーバ１において受信されると，受信された動画リクエストに対応する動画ファイルが動画ファイル・データベース９の中から見つけ出される（ステップ61）。見つけ出された動画ファイルのデータ量が多いなどの理由により分割しなければ携帯電話30が受信できない場合には，受信された携帯電話情報に対応する分割ルールが分割ルール・データベース８から読み出され，読み出された分割ルールにもとづいて分割される（ステップ62）。これにより上述したように動画ファイルから複数の分割ファイルが生成される。生成された複数の分割ファイルは動画ファイル・データベース９に格納される。また，再構成情報が生成され，再構成情報データベース10に格納される。生成された複数の分割ファイルのうち，再構成情報（再生順序）にもとづいて決定される最初に送信すべき分割ファイルが動画ファイル・サーバ１から携帯電話30に送信される（ステップ63）。
【００３５】
動画ファイル・サーバ１から送信された最初の分割ファイルが携帯電話30において受信されると（ステップ52），その受信された分割ファイルによって表わされる動画（分割動画）が再生されて携帯電話30の表示画面に表示される（ステップ53）。受信した分割ファイルによって表わされる動画が終了するまで動画の再生が続けられる（ステップ54）。分割ファイルの動画再生が終了すると（ステップ54でＹＥＳ），続きの動画があれば（ステップ55でＹＥＳ），分割ファイルのリンクづけ画像データ記録領域に記録されているリンクづけ画像データによって表わされるリンクづけ画像が携帯電話30の表示画面に表示される（ステップ56）。続きの動画があるかどうかは，分割ファイルにリンクづけ画像データが格納されているかどうかにもとづいて判断できる。
【００３６】
図７は，携帯電話30の表示画面に表示されるリンクづけ画像の一例である。
【００３７】
リンクづけ画像70は，上述したように，リンクづけ画像データによって表わされるものである。このリンクづけ画像70には，「続き動画を見る」という文字列71がホット・テキストで表示されている。この文字列71が携帯電話30のユーザによってクリックされることにより，ホット・テキストによってリンク付けされている次の分割画像ファイルのリクエストが動画ファイル・サーバ１に送信される。
【００３８】
図６に戻って，「続き動画を見る」という文字列がクリックされると（ステップ57でＹＥＳ），続き動画リクエストが携帯電話30から動画ファイル・サーバ１に送信される（ステップ58）。
【００３９】
続き動画リクエストが動画ファイル・サーバ１において受信されると（ステップ64でＹＥＳ），リクエストにしたがって，続きの分割ファイルが再構成情報にしたがって見つけ出される（ステップ65）。もっとも，分割ファイルに格納されているリンクづけ画像データによって表わされるリンクづけ画像に埋め込まれているリンク・データは続きの分割ファイルの格納場所を示しているから，このリンク・データによって特定され格納場所に格納されている続きの分割ファイルを動画ファイル・データベース９から読み出すようにしてもよい。見つけ出された続きの動画ファイルが動画ファイル・サーバ１から携帯電話30に送信される（ステップ66）。
【００４０】
上述の実施例においては，分割ファイルの中にリンクづけ画像データが格納されているが，再構成情報によって分割ファイルの送信順序が分かるので，かならずしもリンクづけ画像データが分割ファイルの中に格納されていなくともよい。また，上述した実施例においては動画ファイルから複数の分割ファイルが生成されて，生成された複数の分割ファイルが順番に動画ファイル・サーバ１から携帯電話30に送信されているが，携帯電話30が受信できるのであれば，必ずしも一つの動画ファイルが分割された分割ファイルが動画ファイル・サーバ１から携帯電話30に送信されるのではなくとも別々の動画を表わす複数の動画ファイルが動画ファイル・サーバ１から携帯電話30に送信されるようにしてもよい。また，動画ファイル・サーバ１から携帯電話に動画ファイル，分割ファイル等が送信される場合には，携帯電話30が表示できるように動画データのフォーマット変換，携帯電話30の表示画面の大きさに合わせた大きさの動画となるように大きさのリサイズなどが行われることが好ましい。
【００４１】
図８は，変形例を示すもので，携帯電話30と動画ファイル・サーバ１との通信処理手順を示すフローチャートである。この図において，図６に示す処理と同一の処理については同一符号を付して説明を省略する。
【００４２】
上述した実施例においては，分割ファイルに格納されるリンクづけ画像データは動画ファイルから分割されたときに分割ファイルに格納されているが，この変形例においては，携帯電話30からリクエストがあった場合に，そのリクエストされた分割ファイルにリンクづけ画像データが格納される（ステップ63Ａ，66Ａ）。リンクづけ画像データに埋め込まれる，つづきの画像ファイルの格納場所（リンク・データ）は，再構成情報データベース10に格納されている再構成情報を参照して分かるのはいうまでもない。
【００４３】
図９および図10は，他の実施例を示すもので，携帯電話30において広告動画が再生された場合に要求された動画を再生できるものである。
【００４４】
図９（Ａ）および（Ｂ）は，それぞれ広告ファイルおよび動画ファイルのファイル構造（データ構造）を示している。
【００４５】
図９（Ａ）を参照して，広告ファイル80には，ヘッダ記録領域81および動画データ記録領域82が規定されている。動画データ記録領域82には，広告の動画を表わす動画データが記録されている。動画データ記録領域82の最後には，リンクづけ画像データ記録領域83が規定されている。このリンクづけ画像データ記録領域83には，図９（Ｂ）に示す動画ファイル85の格納場所（BBB2）を示すリンク・データが埋め込まれているリンクづけ画像データが記録されている。
【００４６】
図９（Ｂ）を参照して，動画ファイル85にもヘッダ記録領域86および動画データ記録領域87が規定されている。動画データ記録領域87には，携帯電話30のユーザからのリクエストに対応した動画を表わす動画データが記録されている。
【００４７】
広告ファイル80と動画ファイル85とは関連づけられており（たとえば，広告ファイル80のファイル名は動画ファイル85のファイル名を含むものに規定されている），動画ファイル85のリクエストがあることにより，動画ファイル85の他に動画ファイル85に関連づけられた広告ファイル80を見つけ出すことができる。これらの広告ファイル80および動画ファイル85も動画ファイル・データベース９に格納されているのはいうまでもない。
【００４８】
図10は，図６に対応するもので，携帯電話30と動画ファイル・サーバ１との通信処理手順を示すフローチャートである。
【００４９】
上述のように，携帯電話30から動画ファイル・サーバ１に携帯電話情報および動画リクエストが送信される（ステップ91）。
【００５０】
携帯電話30において動画リクエストが受信されると，その受信された動画リクエストによって特定される動画ファイルとその動画ファイルに関連づけられている広告ファイルが動画ファイル・データベース９から見つけ出される（ステップ101）。見つけ出された動画ファイルおよび広告ファイルのうち，広告ファイルが最初に動画ファイル・サーバ１から携帯電話30に送信される（ステップ102）。
【００５１】
動画ファイル・サーバ１から送信された広告ファイルが携帯電話30において受信されると（ステップ92），受信した広告ファイルによって表される広告動画が再生される（ステップ93）。広告動画の再生が終了すると（ステップ94でＹＥＳ），続きの動画ファイルがあるので，リンクづけ画像が表示される（ステップ96）。リンクづけ画像に含まれる「続き動画を見る」の文字列がクリックされると，続き動画リクエストが携帯電話30から動画ファイル・サーバ１に送信される（ステップ98）。
【００５２】
続き動画リクエストが動画ファイル・サーバ１において受信されると（ステップ103でＹＥＳ），携帯電話30から最初にリクエストされた動画を表す動画ファイルが動画ファイル・サーバ１から携帯電話30に送信される（ステップ104）。
【００５３】
広告ファイルに格納されているリンクづけ画像データに埋め込まれているリンク・データにしたがってつづき動画のリクエストがあった場合に，携帯電話30から送信された動画リクエストに応じた動画ファイルを携帯電話30に送信することにより，広告を閲覧したユーザのみがリクエストされた動画を見ることができるようになる。
【００５４】
図11（Ａ）および（Ｂ）ならびに図12は，さらに他の実施例を示すものである。この実施例は，携帯電話30に分割ファイルが格納された場合には，その分割ファイルに格納されているリンク付け画像データに埋め込まれるリンク・データによって表される格納先を動画ファイル・サーバ１の動画ファイル・データベース９の格納先から携帯電話30のメモリ38の格納先に変更するものである。
【００５５】
図11（Ａ）および（Ｂ）は，分割ファイルのファイル構造（データ構造）を示している。
【００５６】
図11（Ａ）は，図３に示す分割ファイル14，18および22と同じものであり，図３に示した符号と同じ符号を付して説明を省略する。これらの分割ファイル14，18および22は，上述したように動画ファイル・サーバ１の動画ファイル・データベース９に格納されているものである。
【００５７】
図11（Ｂ）は，図11（Ａ）に示した分割ファイル14，18および22が携帯電話30に記録されたときのファイル構造を示している。これらの分割ファイル14Ａ，18Ａおよび22は，動画ファイル・サーバ１の動画ファイル・データベース９に格納されている分割ファイル14，18および22と同じファイル構造であるが，動画ファイル・データベース９に格納されている分割ファイル14，18および22に記録されているリンクづけ画像データに埋め込まれているリンク・データが動画ファイル・データベース９に格納されている次の分割ファイルの格納先を示しているのに対し，分割ファイル14Ａ，18Ａおよび22に記録されているリンクづけ画像データに埋め込まれているリンク・データは携帯電話30のメモリに格納されている次の分割ファイルの格納先を示している。たとえば，分割ファイル14Ａに格納されているリンクづけ画像データにもとづく次の分割ファイルの格納場所aaa2は，携帯電話30に格納されている分割ファイル18Ａの格納場所を示している。分割ファイル18Ａに格納されているリンクづけ画像データについても同様である。これにより，分割ファイル14Ａ，18Ａおよび22が携帯電話30に記録された場合に，動画ファイル・サーバ１にアクセスすることなく，携帯電話30に記録されている次の動画ファイルを読み出すことができ，次の動画を閲覧できるようになる。
【００５８】
図12は，図６の携帯電話の処理手順に対応するもので，携帯電話の処理手順を示すフローチャートである。この図において，図６に示す処理と同一の処理については同一符号を付して説明を省略する。
【００５９】
上述のように，動画ファイル・サーバ１から分割ファイルが受信されると，携帯電話30のメモリにその分割ファイルが記憶される（ステップ52Ａ）。その分割ファイル（続きの分割ファイル）の前の分割ファイルがすでに記憶されていれば（ステップ111でＹＥＳ），前の分割ファイルに記録されているリンクづけ画像データに埋め込まれているリンク・データが，続きの分割ファイルの携帯電話30のメモリの格納先を示すように書き換えられる（ステップ112）。その後，動画が再生されて続き動画リクエストが携帯電話30から動画ファイル・サーバ１に送信されると，その続き動画リクエストに応じた続きの動画ファイルが動画ファイル・サーバ１から携帯電話30に送信される（ステップ51〜58）。
【００６０】
携帯電話30に続きの分割ファイルが格納されている場合には，その続きの動画ファイルの前の動画ファイルに格納されているリンク画像データに埋め込まれているリンク・データは携帯電話30に格納されている続きの動画ファイルの格納先を示すようになるから，続きの動画ファイルを再生する場合に再び動画ファイル・サーバ１にアクセスする必要が無い。
【図面の簡単な説明】
【００６１】
【図１】動画通信システムの概要を示している。
【図２】動画ファイル・サーバの電気的構成を示すブロック図である。
【図３】動画ファイルおよび分割ファイルのファイル構造を示している。
【図４】再構成情報の一例である。
【図５】携帯電話の電気的構成を示すブロック図である。
【図６】携帯電話と動画ファイル・サーバとの通信処理手順を示すフローチャートである。
【図７】携帯電話に表示されるリンクづけ画像の一例である。
【図８】携帯電話と動画ファイル・サーバとの通信処理手順を示すフローチャートである。
【図９】（Ａ）および（Ｂ）は，広告ファイルおよび動画ファイルのファイル構造を示している。
【図１０】携帯電話と動画ファイル・サーバとの通信処理手順を示すフローチャートである。
【図１１】（Ａ）および（Ｂ）は，分割ファイルのファイル構造を示している。
【図１２】携帯電話の通信処理手順を示すフローチャートである。
【符号の説明】
【００６２】
１  動画ファイル・サーバ
２  ＣＤ−ＲＯＭ
６，37  ＣＰＵ
７，33  通信装置
８  分割ルール・データベース
９  動画ファイル・データベース
10  再構成情報データベース
11  動画ファイル
14，18，22  分割ファイル
30  携帯電話
40  メモリ・カード
【図１】
2008228120.tif 000003
【図２】
2008228120.tif 000004
【図３】
2008228120.tif 000005
【図４】
2008228120.tif 000006
【図５】
2008228120.tif 000007
【図６】
2008228120.tif 000008
【図７】
2008228120.tif 000009
【図８】
2008228120.tif 000010
【図９】
2008228120.tif 000011
【図１０】
2008228120.tif 000012
【図１１】
2008228120.tif 000013
【図１２】
2008228120.tif 000014